(57)【特許請求の範囲】
【請求項１】
少なくとも２つのプラスチック袋を有し、各プラスチック袋中に多結晶シリコン塊を備える輸送容器であって、
包装密度が６５０ｋｇ／ｍ３以上で９５０ｋｇ／ｍ３以下であり、
輸送容器中のプラスチック袋は、プラスチック袋の長辺が輸送容器の底面の平面にほぼ平行に重なり合って、配置されており、および
各プラスチック袋の中に存在する前記塊の体積を１とした場合の、各プラスチック袋の全容積が２．４から３．０であることを特徴とする輸送容器。
【請求項２】
包装密度が、８００ｋｇ／ｍ３を超えて９５０ｋｇ／ｍ３以下である請求項１に記載の輸送容器。
【請求項３】
前記輸送容器内に存在する剰余の容積が、発泡体からなる、またはＰＵ、ポリエステルもしくは発泡性ポリスチレンの成形要素からなる詰め物で、７０％を超える広さまで充填されている、請求項１または２に記載の輸送容器。
【請求項４】
前記プラスチック袋が、少なくとも部分的に重なり合っている、請求項１から３の何れかに記載の輸送容器。
【請求項５】
詰め物が、重なり合っているプラスチック袋の間に配置されている、請求項１から４の何れかに記載の輸送容器。
【請求項６】
請求項１から５の何れかに記載の輸送容器が複数固定されているパレット。
【請求項７】
多結晶シリコン塊が、請求項１から５の何れかに記載のように輸送容器に入れられる、多結晶シリコン塊の輸送方法。
【請求項８】
多結晶シリコン塊が、請求項１から５の何れかに記載のように輸送容器に入れられ、かつ、複数の輸送容器が、請求項６に記載のようにパレットに固定される、多結晶シリコン塊の輸送方法。
【発明の詳細な説明】
【技術分野】
【０００１】
本発明は、多結晶シリコンの包装に関する。
【背景技術】
【０００２】
多結晶シリコン（ポリシリコン）は、主にシーメンス法によって、トリクロロシラン等のハロシランから堆積され、その後できる限り汚染が少ない多結晶シリコン塊に粉砕される。
【０００３】
半導体および太陽光発電産業における用途では、できる限り汚染が少ない水準の塊ポリシリコンが望まれる。従って、この材料はまた、顧客に輸送される前に、汚染を低くして包装されるべきである。
【０００４】
一般的に、ポリシリコン塊は一重または多重プラスチック袋に包装される。通常、ポリシリコン塊は二重袋に包装される。
【０００５】
これらの袋は、その後外包装、（例えば大きな段ボール箱）に入れられ、顧客に輸送される。
【０００６】
塊ポリシリコンは、流動性がない鋭いエッジのバルク材料である。従って、包装作業において、この材料が充填の過程で従来のプラスチック袋に穴をあけないこと、または最悪の場合、さらに完全にプラスチック袋を破損しないことを確実にするべきである。
【０００７】
これを避けるため、様々な方策が従来技術において提案されている。
【０００８】
ＵＳ  ２０１００１５４３５７  Ａ１は、密封作業の際に袋から空気を吸い出し、１０から７００ｍｂａｒの真空を得ることを提案している。
【０００９】
ＵＳ  ２０１２０１９８７９３  Ａ１は、溶着作業の前に袋から空気を吸い出し、空気の少ない平らな袋を得ることを開示している。
【００１０】
しかしながら、これらの方策では、穴あきを防止することはできないことが分かっている。
【００１１】
ＵＳ  ２０１００１５４３５７  Ａ１は、包装作業の際プラスチック袋内に、エネルギー吸収材を提供する。これは穴あきを防ぐはずである。
【先行技術文献】
【特許文献】
【００１２】
【特許文献１】米国特許出願公開第２０１０／０１５４３５７号明細書
【特許文献２】米国特許出願公開第２０１２／０１９８７９３号明細書
【発明の概要】
【発明が解決しようとする課題】
【００１３】
しかしながら、袋の穴あきは包装作業の際だけでなく、顧客への輸送過程でも起こり得る。塊ポリシリコンは、鋭いエッジをしており袋の中でこれら塊が好ましくない向きをした場合に、袋のフィルムに対するこれら塊の相対移動および袋のフィルムへのこれら塊の圧力がそれぞれ、袋のフィルムを突き破り、貫通する結果となる。
【００１４】
袋の包装から突き出た塊は、周囲の物質によって直接、および内側の塊は流入する外気によって、容認しがたいほど汚染され得る。
【００１５】
さらに、包装されたシリコン塊の輸送の過程で、相対移動およびぶつかり合うことで、またはエッジが破砕することおよび摩耗することで、好ましくない二次的な粉砕が起こる。
【００１６】
これは、この過程で生じた微粉がとりわけ明らかに顧客が行う工程に悪影響を及ぼすため望ましくない。結果として、顧客はさらなる処理の前にこれら微粉の画分を再度篩って取り除かなければならず、不都合である。
【００１７】
この問題は、粉砕および分級、清浄および未清浄シリコンに対して、包装サイズ（一般的に袋にはポリシリコンが５または１０ｋｇ入っている。）にかかわらず等しく当てはまる。
【００１８】
袋の破損のリスクは塊の質量に比例して増加することが分かっている。
【００１９】
原理上考えられる一つの選択肢、袋のフィルムを強化することによって穴あき率を減少させることは、とりわけそのような柔軟性の劣るフィルムは取扱いがより困難およびより高価になり得るため、実用性が低いことが分かっている。
【００２０】
これらの穴あきおよび二次的な粉砕の主な原因は、輸送中のこれら袋の過度な「運動の自由度」にある。輸送（トラック、空輸、海運および列車、貨物等）の間、包装単位への応力は多い。
【００２１】
ここで、最も有害な影響は、例えば、トラック輸送によって生じるような顕著な度合の絶え間のない振動の中で見られることが研究で示されている。
【００２２】
この問題によって本発明の目的は生じた。
【課題を解決するための手段】
【００２３】
本発明の目的は、特許請求の範囲によって達成される。
【００２４】
本発明は、意外にも、輸送中に生じる穴あきと微粉の両方を最少に抑えた。同時に、費用面での優位性が達成された。
【００２５】
本発明者らは、包装されたポリシリコンの袋が、二次包装単位（例えば段ボール箱の中）で有する空間が大きいほど、振動の影響がより大きな破損を与えることを認識している。過度に詰まった包装は穴あき数の増加の原因となり、過度に緩い包装は、同様に穴あきおよびかなり多い微粉の原因となる場合がある。
【００２６】
本発明は、従って、二次包装単位（段ボール箱）における移動の余地（空きスペース）を減少させることを制御することによって、不要な二次的な粉砕もしくは包装フィルムの穴あきを避ける、または顕著に減少させることを想定する。段ボール箱の中でのこれら袋の制御された配置によって、例えば、規定の水平の重ね合わせによって、または、特定の詰め物によって、これら微粉／穴あきを回避することが可能である。
【００２７】
これは、５および１０ｋｇの包装体、または同桁の単位における、粉砕および分級、清浄および未清浄シリコンに対して等しく当てはまる。これらは、特に、典型的なエッジの長さが０．１ｍｍから２５０ｍｍの間の塊シリコンの場合に採用される。
【００２８】
さらなる利点は、大箱の膨隆がないこと、標準の箱と比べて一定の箱高さ、および製造費用の削減（消耗品および人件費の削減）である。
【００２９】
本発明は、少なくとも２つのプラスチック袋を有し、各プラスチック袋中に多結晶シリコン塊を備える、包装密度が５００ｋｇ／ｍ３より大きいことを特徴とする輸送容器に関する。
【００３０】
本発明の中で、包装密度は、輸送容器の内容積に対する多結晶シリコン塊の初期重量として定義される。
【００３１】
前記包装密度は、６５０ｋｇ／ｍ３より大きいことが好ましい。包装密度が８００ｋｇ／ｍ３より大きいことが特に好ましい。しかしながら、前記包装密度は、９５０ｋｇ／ｍ３までであるべきである。
【００３２】
本発明は、さらに、本発明の複数の輸送容器のパレットへの固定もまた提供する。
【００３３】
本発明は、さらに、前記プラスチック袋の穴あき率が、輸送後に２０％未満である、本発明の輸送容器による多結晶シリコン塊の輸送方法にも関する。
【００３４】
前記穴あき率は、１０％未満が好ましく、５％未満がより好ましい。理想的には、穴あきは全く生じない。
【００３５】
穴あきは、本発明の中で、少なくとも１つの目に見える孔、即ち、長さ方向の範囲が０．３ｍｍ以上の孔を有する袋の、輸送容器内のすべての袋に対する割合として定義される。
【００３６】
輸送中に生じるＳｉ微粉の断片は、＜１００ｐｐｍｗが好ましく、＜５０ｐｐｍｗがより好ましい。理想的には、微粉は生じない。
【００３７】
以下、塊サイズ３から５については、８ｍｍ×８ｍｍのサイズの正方形の網目を有する網目スクリーンによって取り除かれ得るサイズを備えるシリコンの塊または粒子のすべてを微粉とする。塊サイズ０から２については、網目のサイズがここでは１ｍｍ×１ｍｍとして定義される他は、同じ定義が適用される。
【００３８】
サイズの分類は、シリコン塊の表面の２点間の最長の距離（＝最大長さ）として定義される：
【００３９】
【表１】
0006321161.tif 000002
【００４０】
好ましくは、輸送容器内に存在する剰余の容積（＝箱の容積−すべての袋の体積）は、特定の詰め物、例えば、発泡体である箱挿入物で、７０％を超える広さまで、より好ましくは１００％の広さまで充填される。
【００４１】
好ましくは、ＰＵ、ポリエステルもしくは発泡性ポリスチレンまたは別のポリマーからなる成形要素もまた導入される。
【００４２】
輸送容器の中にこれら袋を水平に配置することが好ましい。これは、これらの充填袋が長い方の側面を箱の底部の上にして置かれていることを意味すると理解される。垂直の配置は、対照的に、これら充填袋が箱の中で直立して置かれることを意味する。
【００４３】
これら袋は、水平配置の場合、重なり合ってもよく、これは、一つの袋が部分的に別の袋の上に同様に置かれていてもよいことを意味する。
【００４４】
これら袋の箱内での好ましい水平配置は図１によって以下に示される。
【図面の簡単な説明】
【００４５】
【図１】８つの充填袋を備えた箱を示す。
【発明を実施するための形態】
【００４６】
それぞれがポリシリコン塊２で充填された８つの袋３が箱１に入っている。それぞれ２つの袋３を備えた全部で４つの平面が存在する。詰め物４は、これら平面の一部の間に入っている。これら袋３は、水平に配置されている；これら袋３の長辺は、箱の底面にほぼ平行である。
【００４７】
これら袋の間の仕切り、例えば内箱、セル仕切り、または厚紙の仕切りは好ましいものの、信頼性のある輸送に絶対必要というわけではない。
【００４８】
例えば、それぞれがポリシリコン塊を１０ｋｇ含む８つの袋は、一つの輸送容器に水平に入れられていてもよい。この場合、従ってこの輸送容器はポリシリコン８０ｋｇで充填されている。
【００４９】
これら輸送容器は、パレットに固定されるのが好ましく、より好ましくは、緊締される。例えば、それぞれがポリシリコン８０ｋｇを含む６つの輸送容器を一つのパレットに固定することが可能である。
【００５０】
この輸送容器は、外包装要素は、例えば、段ボール箱が好ましい。
【００５１】
これら塊の体積に対するプラスチック袋の全容積は、２．４から３．０が好ましい。
【００５２】
これは、これら塊をプラスチック袋に入れた後に、プラスチック袋の中に存在する空気をこのプラスチック袋を閉じる前に取り除くことによって達成される。
【００５３】
好ましくは、このプラスチック袋は、二重袋であって、第一および第二のプラスチック袋、ならびに第一のプラスチック袋の中に塊のポリシリコンを含み、第一のプラスチック袋は第二のプラスチック袋の中に挿入されており、どちらのプラスチック袋も密封されており、これら塊の体積に対するこの二重袋の全容積は、２．４から３．０である。
【００５４】
これら塊の体積に対する第一の袋の全容積は、２．０から２．７が好ましい。
【００５５】
好ましくは、第一の袋の寸法は、これらポリマーフィルムがこれらシリコン塊と近接して並ぶような寸法である。このようにして、これら塊間の相対移動を避けることができる。
【００５６】
これらプラスチック袋は、高純度ポリマーからなることが好ましい。好ましくは、ポリエチレン（ＰＥ）、ポリエチレンテレフタレート（ＰＥＴ）もしくはポリプロピレン（ＰＰ）または複合フィルムである。複合フィルムは、柔軟な包装体が作られる多層包装フィルムである。個々のフィルム層は、一般的に押出しまたは積層される。
【００５７】
前記プラスチック袋は、厚さが１０から１０００μｍであることが好ましく、１００から３００μｍがより好ましい。
【００５８】
これらプラスチック袋は、例えば、溶着、接着、縫い付けまたは型締めによって閉じることができる。これらプラスチック袋は、好ましくは溶着によって閉じられる。
【００５９】
包装した袋の容積を測定するために、袋を水浴に入れる。
【００６０】
変位した水は、この袋の全容積に相当する。
【００６１】
シリコンの体積は、超高純度シリコンの一定密度（２．３３６ｇ／ｃｍ３）を用いて、シリコンの重量から決定した。
【００６２】
別の方法として、シリコンの体積は前記浸漬法によって同様に測定することができた。
【００６３】
空気はシリコン充填プラスチック袋から各種方法によって取り除くことができる：
手押しとその後の溶着
留め金具または押印装置とその後の溶着
吸引装置とその後の溶着
真空室とその後の溶着
包装過程の周囲条件は、温度１８から２５℃が好ましい。相対空気湿度は、３０から７０％が好ましい。
【００６４】
凝縮水の生成はこの方法で回避できることが分かっている。
【００６５】
好ましくは、包装はさらに濾過された空気環境で行われる。
【実施例】
【００６６】
微粉断片の測定
塊サイズ３から５の微粉断片を測定するため、８ｍｍ平方の網目、またはより小さい塊サイズについては１ｍｍ平方の網目の網目スクリーン、および振動モータを用いる。篩って取り除いた微粉断片は、重量測定手法によって定量化した。
【００６７】
［実施例１］
輸送シミュレーション（最悪のケース）：トラックのパレットの表面への輸送の振動からの典型的な応力８００ｋｍ、トラック輸送の衝撃２から６ｇ（重力加速度）、搭載単位の転換および海外輸送に対する水平方向の衝撃。
【００６８】
表１は、調べた箱の概観を示す。
【００６９】
これら試験例では、これらのポリ塊は、以下の箱の中でＰＥ二重袋（２９０μｍ）に配置される。
【００７０】
【表２】
0006321161.tif 000003
【００７１】
袋に存在する塊の体積に対する各二重プラスチック袋の全容積は２．４から３．０の範囲であった。
【００７２】
表２は、調べた５つの箱についての包装密度、微粉および穴あきを示す。試験ごとに９６０ｋｇを評価した。穴あき率は、外袋の穴あきに基づく。
【００７３】
【表３】
0006321161.tif 000004
【００７４】
［実施例２］
積み降ろしを伴うトラック旅程１０００ｋｍ
ここでも表１の箱１−５を調べた。
【００７５】
表３は、調べた５つの箱についての包装密度、微粉および穴あきを示す。試験ごとに９６０ｋｇを評価した。
【００７６】
包装密度が５００ｋｇ／ｍ３未満である場合、容器内での袋の配置（水平／垂直）にかかわらず、４００ｐｐｍｗを超える微粉が輸送の過程で生じ、穴あき率は２５％を超える。
【００７７】
【表４】
0006321161.tif 000005
【符号の説明】
【００７８】
１  箱
２  ポリシリコン塊
３  袋
４  詰め物
【図１】
0006321161.tif 000006